(57)【要約】【課題】ユーザ自身によるユーザ特徴情報の入力作業や、長期間にわたるユーザ特徴情報の学習を行う必要なく、ユーザの特徴に適した処理を行う車載処理装置を提供する。【解決手段】車両用ナビゲーション装置１置が、自らに接続されているデジタルオーディオプレーヤ２に記録されている複数のオーディオコンテンツについて、それらオーディオコンテンツに関する情報を取得し、取得した当該オーディオコンテンツ関連情報に基づいて、車両用ナビゲーション装置１の作動の内容を変化させる。【選択図】図１
2010014542.tif 000002
【特許請求の範囲】
【請求項１】
デジタルオーディオプレーヤ（２）と接続可能な車載処理装置であって、
接続されている前記デジタルオーディオプレーヤ（２）に記録されている複数のオーディオコンテンツについて、それらオーディオコンテンツに関するオーディオコンテンツ関連情報を取得する取得手段（１０５〜１６０）と、
前記取得手段（１０５〜１６０）が取得した前記オーディオコンテンツ関連情報に基づいて、当該車載処理装置の作動の内容を変化させる変化制御手段（１７０、１８０）と、を備えた車載処理装置。
【請求項２】
前記変化制御手段（１７０、１８０）は、前記取得手段（１０５〜１６０）が取得した前記オーディオコンテンツ関連情報に基づいて、ルートナビゲーションの内容を変化させることを特徴とする請求項１に記載の車載処理装置。
【請求項３】
前記変化制御手段（１７０、１８０）は、前記取得手段（１０５〜１６０）が取得した前記オーディオコンテンツ関連情報に基づいて、同じ車両に搭載された他の装置の制御内容を変化させることを特徴とする請求項１または２に記載の車載処理装置。
【請求項４】
前記変化制御手段（１７０、１８０）は、前記取得手段（１０５〜１６０）が取得した前記オーディオコンテンツ関連情報に基づいて、車両の乗員に提供する情報の内容を変化させることを特徴とする請求項１ないし３のいずれか１つに記載の車載処理装置。
【請求項５】
前記変化制御手段（１７０、１８０）は、前記取得手段（１０５〜１６０）が取得した前記オーディオコンテンツ関連情報に基づいて、前記デジタルオーディオプレーヤ（２）の所有者の特徴を推定し、推定した前記所有者の特徴に応じて、当該車載処理装置の作動の内容を変化させることを特徴とする請求項１ないし４のいずれか１つに記載の車載処理装置。
【請求項６】
デジタルオーディオプレーヤ（２）と接続可能な車載処理装置に用いるプログラムであって、
接続されている前記デジタルオーディオプレーヤ（２）に記録されている複数のオーディオコンテンツについて、それらオーディオコンテンツに関するオーディオコンテンツ関連情報を取得する取得手段（１０５〜１６０）、および
前記取得手段（１０５〜１６０）が取得した前記オーディオコンテンツ関連情報に基づいて、当該車載処理装置の作動の内容を変化させる変化制御手段（１７０、１８０）として、コンピュータを機能させるプログラム。
【発明の詳細な説明】
【技術分野】
【０００１】
本発明は、車載処理装置および車載処理装置用のプログラムに関するものである。
【背景技術】
【０００２】
従来、ユーザの特徴に応じた処理を行う車載処理装置の技術として、例えば特許文献１〜３に記載の技術が知られている。
【特許文献１】特開２００１−３４３９７９号公報
【特許文献２】特開２００３−１０６８４６号公報
【特許文献３】特開２００５−２４９６９６号公報
【発明の開示】
【発明が解決しようとする課題】
【０００３】
しかし、特許文献１、２に記載のような技術では、ユーザの特徴の情報をユーザ自身が入力して設定する必要があるので、ユーザの手間がかかる。また、特許文献３では、ユーザの行動パターン、好み、習慣を蓄積および学習することで、ユーザの特徴を特定するようになっているので、ユーザに適した処理を行うようになるまでには回数的あるいは時間的なコストが嵩んでしまう。
【０００４】
本発明は上記点に鑑み、ユーザ自身によるユーザ特徴情報の入力作業や、長期間にわたるユーザ特徴情報の学習を行う必要なく、ユーザの特徴に適した処理を行う車載処理装置を提供することを目的とする。
【課題を解決するための手段】
【０００５】
上記目的を達成するための請求項１に記載の発明においては、デジタルオーディオプレーヤ（２）と接続可能な車載処理装置が、自らに接続されているデジタルオーディオプレーヤ（２）に記録されている複数のオーディオコンテンツについて、それらオーディオコンテンツに関する情報を取得し、取得した当該オーディオコンテンツ関連情報に基づいて、当該車載処理装置の作動の内容を変化させるようになっている。
【０００６】
このように、デジタルオーディオプレーヤ（例えば、アップル社のｉＰｏｄ（登録商標）、東芝社のＢｅａｔ  Ｅｎｇｉｎｅ（登録商標））に記録されている複数のオーディオコンテンツ（例えば、楽曲、音声配信番組）に関するオーディオコンテンツ関連情報を利用して、車載処理装置がユーザの特徴に適するよう作動内容を変化させるので、ユーザ自身によるユーザ特徴情報の入力作業や、長期間にわたるユーザ特徴情報の学習を行う必要なく、ユーザの特徴に適した処理を行うことができる。
【０００７】
また、請求項２に記載のように、車載処理装置は、取得したオーディオコンテンツ関連情報に基づいて、ルートナビゲーション（目的地決定、案内ルート算出、ルート案内等）の内容を変化させるようになっていてもよい。このようになっていることで、簡易にユーザの特徴に適合したルートナビゲーションを行うことができる。
【０００８】
また、請求項３に記載のように、車載処理装置は、取得したオーディオコンテンツ関連情報に基づいて、同じ車両に搭載された他の装置の制御内容を変化させるようになっていてもよい。このようになっていることで、簡易にユーザの特徴に適合した他装置制御を行うことができる。
【０００９】
また、請求項４に記載のように、車載処理装置は、取得したオーディオコンテンツ関連情報に基づいて、車両の乗員に提供する情報の内容を変化させるようになっていてもよい。このようになっていることで、簡易にユーザの特徴に適合した情報提供を行うことができる。
【００１０】
また、請求項５に記載のように、車載処理装置は、取得したオーディオコンテンツ関連情報に基づいて、デジタルオーディオプレーヤ（２）の所有者の特徴を推定し、推定した所有者の特徴に応じて、当該車載処理装置の作動の内容を変化させるようになっていてもよい。
【００１１】
このようにすることで、オーディオコンテンツ関連情報と車載処理装置の処理内容とを直接関連付けて車載処理装置を設計する場合に比べ、所有者の特徴と車載処理装置の処理内容との関係を明確に対応づけた上で車載処理装置を設計することができるので、設計が容易となる。
【００１２】
また、請求項６に記載のように、請求項１に記載の発明の特徴は、プログラムの発明としても捉えることができる。
【００１３】
なお、上記および特許請求の範囲における括弧内の符号は、特許請求の範囲に記載された用語と後述の実施形態に記載される当該用語を例示する具体物等との対応関係を示すものである。
【発明を実施するための最良の形態】
【００１４】
以下、本発明の一実施形態について説明する。図１に、本実施形態に係る車両用ナビゲーション装置１（車載処理装置の一例に相当する）のハードウェア構成を示す。この車両用ナビゲーション装置１は、デジタルオーディオプレーヤ２と無線（例えばＢｌｕｅｔｏｏｔｈ）または有線で接続するためのインターフェース（図示せず）を有しており、このインターフェースを介してデジタルオーディオプレーヤ２と接続可能となっている。
【００１５】
デジタルオーディオプレーヤ２は、複数のオーディオコンテンツを記憶および再生することのできる装置である。デジタルオーディオプレーヤ２としては、例えば、例えば、アップル社のｉＰｏｄ（登録商標）、東芝社のＢｅａｔ  Ｅｎｇｉｎｅ（登録商標）といった携帯型デジタルオーディオプレーヤがある。
【００１６】
デジタルオーディオプレーヤ２に記録されているオーディオコンテンツとしては、例えば、楽曲データ、音声配信番組データ（例えば、インターネットラジオ放送のデータ、ポッドキャスト（登録商標）のデータ）がある。
【００１７】
また、デジタルオーディオプレーヤ２は、オーディオコンテンツの付帯情報として、デジタルオーディオプレーヤ２に記録されている複数のオーディオコンテンツのそれぞれについての、ジャンル情報、データ更新日情報、アーティスト情報、テンポ情報、提供元レコード会社情報を記憶している。
【００１８】
ジャンル情報は、語学学習用、クラシック音楽、ポップス音楽、ヘビーメタル音楽、ロック音楽等の、当該オーディオコンテンツのジャンルを示す情報である。また、データ更新日情報とは、当該オーディオコンテンツがデジタルオーディオプレーヤ２に記録された日付の情報である。また、アーティスト情報は、当該オーディオコンテンツを提供するアーティスト（例えば、演奏者、歌唱者、出演者）の情報である。また、テンポ情報は、楽曲に対応する当該オーディオコンテンツについてのテンポ（例えば２００ｂｐｍ（１分に四分音符２００回））、の情報である。また、提供元レコード会社情報は、当該オーディオコンテンツを製作して提供する会社の情報である。
【００１９】
更にデジタルオーディオプレーヤ２は、オーディオコンテンツの付帯情報として、デジタルオーディオプレーヤ２に記録されている複数のオーディオコンテンツのそれぞれについての再生履歴を、すなわち、どの日時にどのオーディオコンテンツがデジタルオーディオプレーヤ２において再生されたかの履歴情報を、記憶している。
【００２０】
デジタルオーディオプレーヤ２は、車両用ナビゲーション装置１に接続されているとき、これら記憶しているオーディオコンテンツおよびオーディオコンテンツの付帯情報を、車両用ナビゲーション装置１からの要求信号に基づいて、車両用ナビゲーション装置１に出力するようになっている。
【００２１】
以下、車両用ナビゲーション装置１の構成について説明する。車両用ナビゲーション装置１は、無線通信部１０、位置検出器１１、画像表示装置１２、操作部１３、スピーカ１４、交通情報受信機１５、チューナ部１６、車内ＬＡＮインターフェース１７、地図データ取得部１８、および制御回路１９を有している。
【００２２】
無線通信部１０は、車両外部（例えば基地局）と無線接続することで、広域ネットワーク（例えば、インターネット、電話通信網）に接続し、制御回路１９の制御に応じて、当該広域ネットワークから各種情報を取得する装置である。
【００２３】
位置検出器１１は、いずれも周知の図示しない加速度センサ、地磁気センサ、ジャイロセンサ、車速センサ、およびＧＰＳ受信機等のセンサを有しており、これらセンサの各々の性質に基づいた、車両の現在位置、向き、および速度を特定するための情報を制御回路１９に出力する。
【００２４】
画像表示装置１２は、制御回路１９から出力された映像信号に基づいた映像をユーザに表示する。表示映像としては、例えば現在地を中心とする地図等がある。
【００２５】
操作部１３は、車両用ナビゲーション装置１に設けられた複数のメカニカルスイッチ、画像表示装置１２の表示面に重ねて設けられたタッチパネル等の入力装置から成り、ユーザによるメカニカルスイッチの押下、タッチパネルのタッチに基づいた信号を制御回路１９に出力する。
【００２６】
交通情報受信機１５は、ＦＭラジオ放送局または道路沿いに設置された路上機から無線送信された道路の渋滞情報、交通規制情報等を受信して制御回路１９に出力する無線受信機である。
【００２７】
チューナ部１６は、ラジオ放送、デジタルテレビ放送の放送データのうち、制御回路１９の制御に応じたチャネルの放送データを受信し、受信した放送データに応じた映像を画像表示装置１２に表示させ、あるいは、受信した放送データに応じた音声をスピーカ１４に出力させる装置である。また、チューナ部１６は、ラジオ放送、デジタルテレビ放送の各チャンネルの番組表の情報、および、各番組の詳細情報（例えば、その番組の放送に使用する言語、その番組が提供する情報等）を受信するようになっている。
【００２８】
車内ＬＡＮインターフェース１７は、車内ＬＡＮと接続するためのインターフェースである。制御回路１９は、車内ＬＡＮに接続されている車両用ナビゲーション装置１以外の装置（例えば空調装置）の作動を、この車内ＬＡＮインターフェース１７を介して、制御することができる。
【００２９】
地図データ取得部１８は、ＤＶＤ、ＣＤ、ＨＤＤ等の不揮発性の記憶媒体およびそれら記憶媒体に対してデータの読み出し（および可能ならば書き込み）を行う装置から成る。当該記憶媒体は、制御回路１９が実行するプログラム、ルート案内用の地図データ等を記憶している。
【００３０】
地図データは、道路データおよび施設データを有している。道路データは、リンクの位置情報、種別情報、ノードの位置情報、種別情報、および、ノードとリンクとの接続関係の情報等を含んでいる。施設データは、施設毎のレコードを複数有しており、各レコードは、対象とする施設の名称情報、所在位置情報、土地地番情報、施設種別（高級レストラン、ファミリーレストラン、コンビニエンスストア等の別）の情報等を示すデータを有している。
【００３１】
制御回路（コンピュータに相当する）１９は、ＣＰＵ、ＲＡＭ、ＲＯＭ、Ｉ／Ｏ等を有するマイコンである。ＣＰＵは、ＲＯＭまたは地図データ取得部１８から読み出した車両用ナビゲーション装置１の動作のためのプログラムを実行し、その実行の際にはＲＡＭ、ＲＯＭ、および地図データ取得部１８から情報を読み出し、ＲＡＭおよび（可能であれば）地図データ取得部１８の記憶媒体に対して情報の書き込みを行い、位置検出器１１、画像表示装置１２、操作部１３、スピーカ１４、および交通情報受信機１５と信号の授受を行う。
【００３２】
制御回路１９がプログラムを実行することによって行う具体的な処理としては、ルートナビゲーション処理がある。ルートナビゲーション処理は、現在位置特定処理、地図表示処理、案内ルート算出処理、ルート案内処理等を含む。
【００３３】
現在位置特定処理は、位置検出器１１からの信号に基づいて、周知のマップマッチング等の技術を用いて車両の現在位置や向きを特定する処理である。
【００３４】
地図表示処理は、車両の現在位置の周辺等の特定の領域の地図を、画像表示装置１２に表示させる処理である。この際、地図表示のために用いる情報は、地図データから取得する。
【００３５】
案内ルート算出処理は、操作部１３からユーザによる目的地の入力を受け付け、現在位置から当該目的地までの最適な案内ルートを算出する処理である。
【００３６】
ルート案内処理は、案内ルート上の右左折交差点等の案内ポイントの手前に自車両が到達したときに、右折、左折等を指示する案内音声をスピーカ１４に出力させ、当該案内ポイントの拡大図を画像表示装置１２に表示させることで、案内ルートに沿った車両の運転を案内する処理である。
【００３７】
また、制御回路１９は、オーディオコンテンツ対応処理を行うようになっている。オーディオコンテンツ対応処理は、接続されているデジタルオーディオプレーヤ２に記録されている複数のオーディオコンテンツに関するオーディオコンテンツ関連情報を取得し、取得した前記オーディオコンテンツ関連情報に基づいて、車両用ナビゲーション装置１の各種作動の内容を変化させる処理である。
【００３８】
図２に、このオーディオコンテンツ対応処理のために制御回路１９が実行するプログラム１００のフローチャートを示す。制御回路１９は、車両用ナビゲーション装置１に対してデジタルオーディオプレーヤ２が接続された時点でこのプログラム１００の実行を開始してもよいし、あるいは、デジタルオーディオプレーヤ２が車両用ナビゲーション装置１に接続されており、かつ、操作部１３に対してオーディオコンテンツ対応処理を実行する旨の操作が行われた時点でこのプログラム１００の実行を開始するようになっていてもよい。
【００３９】
プログラム１００の実行において制御回路１９は、まずステップ１０５で、接続されているデジタルオーディオプレーヤ２に対して、すべてのオーディオコンテンツについての付帯情報を要求する信号を出力し、それに応じてデジタルオーディオプレーヤ２が出力したすべての付帯情報を取得する。
【００４０】
続いて制御回路１９は、取得した付帯情報の１組１組に対応して（すなわち、取得した付帯情報に対応するオーディオコンテンツの１つ１つに対応して）、ステップ１１０〜１５０の処理を実行する。したがって、ステップ１１０〜１５０のループは、デジタルオーディオプレーヤ２に記録されたオーディオコンテンツの数だけ実行される。
【００４１】
ループの各回において制御回路１９は、まずステップ１１０で、今回のループで対象とするオーディオコンテンツ（以下、対象オーディオコンテンツという）の付帯情報に基づいて、対象オーディオコンテンツのジャンルを特定し、当該ジャンルのカウント値を１個分カウントアップする。
【００４２】
ループ処理の繰り返しによって、このようなステップ１１０の処理がオーディオコンテンツのすべてについて行われることで、オーディオコンテンツのジャンル統計として、オーディオコンテンツのジャンルの分布情報を作成することができる。
【００４３】
ステップ１１０に続いてステップ１２０では、対象オーディオコンテンツの付帯情報に基づいて、対象オーディオコンテンツのデータ更新日およびアーティストを特定し、当該データ更新日およびアーティストの組のカウント値を１個分カウントアップする。
【００４４】
ループ処理の繰り返しによって、このようなステップ１２０の処理がオーディオコンテンツのすべてについて行われることで、オーディオコンテンツの更新日付統計として、オーディオコンテンツの更新日付の分布情報を作成することができる。より詳しくは、オーディオコンテンツの更新日付およびアーティストの組についての分布情報を作成することができる。
【００４５】
ステップ１２０に続いてステップ１３０では、対象オーディオコンテンツの付帯情報に基づいて、対象オーディオコンテンツのアーティストを特定し、当該アーティストのカウント値を１個分カウントアップする。
【００４６】
また、個々のアーティスト毎のカウント値に加え、アーティストの種別（例えば、アイドル系、演歌系、バンド系、高級音楽系（すなわち、葉加瀬太郎、トウギヒデキ、喜多郎系））毎のカウント値を設定し、対象オーディオコンテンツのアーティストが該当するアーティスト種別のカウント値を１個分カウントアップするようになっていてもよい。この場合、地図データ取得部１８の記憶媒体には、各アーティストがどのアーティスト種別に該当するかのテーブルが記憶されており、制御回路１９は、このテーブルを用いて各アーティストが該当するアーティスト種別を特定するようになっていてもよい。
【００４７】
更に、アーティストの男女別の年齢毎のカウント値を設定し、対象オーディオコンテンツのアーティストが該当する年齢のカウント値を１個分カウントアップするようになっていてもよい。この場合、地図データ取得部１８の記憶媒体には、各アーティストの生年月日が記憶されており、制御回路１９は、このテーブルと現在の年月日の情報を用いて各アーティストの年齢を特定するようになっていてもよい。
【００４８】
更に、アーティストの活躍年代（１９８０年代、１９９０年代、２０００年代等）毎のカウント値を設定し、対象オーディオコンテンツのアーティストが該当する活躍年代のカウント値を１個分カウントアップするようになっていてもよい。この場合、地図データ取得部１８の記憶媒体には、各アーティストの活躍年代が記憶されており、制御回路１９は、このテーブル用いて各アーティストに該当する活躍年代を特定するようになっていてもよい。
【００４９】
ループ処理の繰り返しによって、このようなステップ１３０の処理がオーディオコンテンツのすべてについて行われることで、オーディオコンテンツのアーティスト統計として、オーディオコンテンツのアーティスト、アーティスト種別、アーティストの年齢、アーティストの活躍年代の分布情報を作成することができる。
【００５０】
ステップ１３０に続いてステップ１４０では、対象オーディオコンテンツの付帯情報に基づいて、対象オーディオコンテンツのテンポを特定し、当該テンポのカウント値を１個分カウントアップする。
【００５１】
ループ処理の繰り返しによって、このようなステップ１４０の処理がオーディオコンテンツのすべてについて行われることで、オーディオコンテンツのテンポ統計として、オーディオコンテンツのテンポの分布情報を作成することができる。
【００５２】
ステップ１４０に続いてステップ１５０では、対象オーディオコンテンツの付帯情報に基づいて、対象オーディオコンテンツの提供レコード会社を特定し、当該提供レコード会社に該当する種別（例えば、インディーズ系、メジャーレーベル系、ダンス系）のカウント値を１個分カウントアップする。このために、地図データ取得部１８の記憶媒体には、各提供レコード会社がどの種別に対応するか記憶されており、制御回路１９は、このテーブルを用いて各提供レコード会社がどの種別に該当するかを特定するようになっていてもよい。
【００５３】
ループ処理の繰り返しによって、このようなステップ１５０の処理がオーディオコンテンツのすべてについて行われることで、オーディオコンテンツのレコード会社統計として、オーディオコンテンツの提供レコード会社の分布情報を作成することができる。
【００５４】
なお、上述した各カウント値は、プログラム１００の実行開始時にすべてゼロにリセットするようになっている。
【００５５】
すべてのオーディオコンテンツ対してステップ１１０〜１５０を実行した後は、ステップ１６０で、付帯情報中から再生履歴の情報を抽出する。
【００５６】
このように、ステップ１０５〜１５０で取得および作成したデータが、オーディオコンテンツ関連情報に相当する。
【００５７】
続いてステップ１７０では、これらオーディオコンテンツ関連情報に基づいて、デジタルオーディオプレーヤ２の所有者の特徴（すなわち、ユーザプロファイル）を推定する。以下に、オーディオコンテンツ関連情報に基づいて所有者の特徴を推定する方法を例示する。
【００５８】
［例１］デジタルオーディオプレーヤ２において、ジャンルを問わず多種多様の曲が格納されており、オーディオコンテンツが頻繁に更新されている場合、ユーザの興味の幅が広い、こだわりがない、飽きっぽい、等の特徴を持つと推定する。
【００５９】
具体的には、ジャンル統計中で、カウントが１以上のジャンルが基準数（例えば１０）以上あり、データ更新日統計によればオーディオコンテンツの更新が平均で２日に１度以上なされている場合に、興味の幅が広いフラグ、こだわりがないフラグ、および飽きっぽいフラグをオンとする。
【００６０】
［例２］デジタルオーディオプレーヤ２において、若い女性アイドルの曲が非常に多く格納されている場合、ユーザを、若い女性の声を好む、落ち着いた口調より、ハキハキした口調を好む、等の特徴を持つと推定する。
【００６１】
具体的には、アーティスト統計中で、２０歳〜２９歳の女性のオーディオコンテンツの数が、全体のオーディオコンテンツの数に対して基準比率（例えば５０％）以上であれば、若い女性の声好きフラグ、およびハキハキ口調好きフラグをオンとする。
【００６２】
［例３］デジタルオーディオプレーヤ２において、クラシックの曲が非常に多く格納されており、かつ、オーディオコンテンツの更新が頻繁でない場合、ユーザを、４０代以上である、電子機器の使用に慣れてない、と推定する。
【００６３】
具体的には、ジャンル統計中で、クラシックのジャンルオーディオコンテンツの数が、全体のオーディオコンテンツの数に対して基準比率（例えば５０％）以上であり、かつ、更新日統計によれば、過去３ヶ月のオーディオコンテンツの追加・変更が基準回数（例えば４回）以内である場合、４０代以上フラグ、および電子機器の使用に慣れてないフラグをオンにする。なお、「クラシックのジャンルオーディオコンテンツの数が、全体のオーディオコンテンツの数に対して基準比率以上」であるという条件を、「テンポ統計によれば、テンポが１００ｂｐｍ以下のオーディオコンテンツが全体の３分の２以上である」という条件に代えてもよい。
【００６４】
［例４］デジタルオーディオプレーヤ２において、テンポの速いポップスや、ロックやヘビーメタルの曲が多く格納されている場合、ユーザを、２０歳台の若者または、若者気質を持つ人物である、せっかちである、等の特徴をもつと推定する。
【００６５】
具体的には、テンポ統計中で、テンポが２００ｂｐｍ以上のオーディオコンテンツの数が、全体のオーディオコンテンツの数に対して基準比率（例えば８０％）以上である場合に、２０歳台の若者であるフラグ、若者気質を持つ人物であるフラグ、および、せっかちであるフラグをオンとする。
【００６６】
［例５］デジタルオーディオプレーヤ２において、特定のアーティストの曲が短期間に増加している、または最新リリースのアルバムの曲をリピートを繰り返して再生している場合、ユーザを、近日中に該当アーティストのコンサートに参加する、等のスケジュールを持つと推定する。
【００６７】
具体的には、１日前に発売されたアーティストＡの最新アルバムに対応する楽曲群の過去１日間の再生頻度が基準頻度（例えば１０分当り１回）以上であれば、近日中にコンサートに参加するフラグをオンにすると共に、当該フラグに、当該アーティスト名を関連付けて記録する。
【００６８】
なお、再生された楽曲がどのアルバムに含まれるか、および、当該アルバムがいつ発売されたかの情報は、あらかじめ地図データ取得部１８の記憶媒体に記憶されており、制御回路１９は、その情報を用いて、再生された楽曲がどのアルバムに含まれるか、および、当該アルバムがいつ発売されたかを特定するようになっていてもよい。
【００６９】
［例６］デジタルオーディオプレーヤ２において、高級感のある楽曲（例えば、葉加瀬太郎、トウギヒデキのアルバム）が多く格納されている場合、このユーザが、落ち着いた雰囲気を好む、高級感のあるものを好む、等の特徴をもつと推定する。
【００７０】
具体的には、高級感のある楽曲のアーティストとして予め定められたアーティストのアルバムが、基準数（例えば９つ）以上デジタルオーディオプレーヤ２に格納されていれば、落ち着いた雰囲気を好むフラグ、および、高級感のあるものを好むフラグをオンにする。
【００７１】
［例７］デジタルオーディオプレーヤ２において、特定の国の語学に関するオーディオコンテンツが多く格納されている場合、このユーザが、当該国に興味があると推定する。
【００７２】
例えば英語学習に関するオーディオコンテンツ（例えばＮＨＫ英会話のＣＤデータ）が基準量（例えばＣＤタイトル１０枚分）以上デジタルオーディオプレーヤ２に格納されている場合、米国に興味があるフラグ、英国に興味があるフラグをオンにする。
【００７３】
［例８］デジタルオーディオプレーヤ２において、マイナーな楽曲が非常に多く格納されている場合、このユーザが、際物好きであると推定する。
【００７４】
具体的には、年間売り上げが基準円以下のレーベルの楽曲、および、インディーズ系のレコード会社が提供する楽曲の総数が、すべての楽曲数に対して基準比率（例えば２／３）以上ある場合、際物好きフラグをオンにする。
【００７５】
続いてステップ１８０では、ステップ１７０の推定結果（具体的には各種フラグ）に応じて、車両用ナビゲーション装置１の作動内容についての各種設定を行い、その後プログラム１００の実行を終了する。また、制御回路１９は、設定後、この設定に従った作動を行う。以下、推定結果と車両用ナビゲーション装置１の作動内容との関係について例示する。
【００７６】
［例１］ユーザの興味の幅が広い、こだわりがない、飽きっぽい、等の特徴を持つと推定した場合（具体的には、興味の幅が広いフラグ、こだわりがないフラグ、および飽きっぽいフラグがオンである場合）、制御回路１９は、案内ルート算出処理において、交通情報受信機１５が受信した渋滞情報に基づいて渋滞を迂回する案内ルートを算出する際、過去に同じ現在位置および同じ目的地に対して算出した迂回用の案内ルートとは異なるルートを、案内ルートの候補としてユーザに画像で提示し、ユーザが操作部１３を用いてそのルートを承認すれば、当該候補を新たな案内ルートとしてもよい。
【００７７】
［例２］ユーザが、若い女性の声を好む、落ち着いた口調より、ハキハキした口調を好む、等の特徴を持つと推定した場合（具外的には、若い女性の声好きフラグ、およびハキハキ口調好きフラグがオンである場合）、制御回路１９は、ルート案内処理において音声合成によって出力する音声を、通常の音声から、アニメ声の音声に変更してもよい。
【００７８】
［例３］ユーザが、４０代以上である、電子機器の使用に慣れてない、と推定した場合（具体的には、４０代以上フラグ、および電子機器の使用に慣れてないフラグがオンである場合）、制御回路１９は、案内ルート算出処理において、なるべくルート案内処理で音声案内が行われないよう、曲がる回数が少ないルートほど、案内ルートとして優先的に採用するようになっていてもよい。
【００７９】
［例４］ユーザを、２０歳台の若者または、若者気質を持つ人物である、せっかちである、等の特徴をもつと推定した場合（具体的には、４０歳台の若者であるフラグ、若者気質を持つ人物であるフラグ、および、せっかちであるフラグがオンである場合）、制御回路１９は、案内ルート算出処理において、設定された目的地に対して複数の案内ルートの候補ルートをユーザに提示する際に、候補ルートとして、走行距離が多少遠くなっても、常に走行を続けられるようなルート（例えば、信号のある交差点が少ないルート）を、より優先的に候補ルートとするようになっていてもよい。あるいは、制御回路１９は、車内ＬＡＮインターフェース１７を介して同じ車両内の空調装置を制御して、風量および風量に伴う騒音が多少大きくなっても、温度を急激に温めるまたは冷やすように、車室内への送風量を増加させるようになっていてもよい。
【００８０】
［例５］ユーザを、近日中にアーティストのコンサートに参加する、等のスケジュールを持つと推定した場合（具体的には、近日中にコンサートに参加するフラグがオンである場合）、制御回路１９は、無線通信部１０を用いて取得する情報（例えば、ウェブサイトのデータ）、およびチューナ部１６から受信する情報（ラジオ番組、デジタルテレビ番組）から、当該フラグに関連付けられているアーティストの情報を優先的に選択して受信し、そのように選択的に受信した情報を画像表示装置１２またはスピーカ１４を用いてユーザに提示してもよい。なお、どの番組が当該アーティストの情報を含んでいるかの判別には、チューナ部１６が受信した番組の詳細情報を利用してもよい。
【００８１】
［例６］ユーザが、落ち着いた雰囲気を好む、高級感のあるものを好む、等の特徴をもつと推定した場合（具体的には、落ち着いた雰囲気を好むフラグ、および、高級感のあるものを好むフラグがオンである場合）、制御回路１９は、ルート算出処理において、目的地としてユーザがレストランを指定した場合、目的地の候補として、高級なレストランをそうでないレストランよりも優先的に、画像表示装置１２を用いてユーザに提示してもよい。
【００８２】
［例７］ユーザが、ある国に興味があると推定した場合（具体的には、当該国に興味があるフラグがオンである場合）、制御回路１９は、無線通信部１０を用いて取得する情報（例えば、ウェブサイトのデータ）、およびチューナ部１６から受信する情報（ラジオ番組、デジタルテレビ番組）から、当該フラグに対応する国の言語が用いられている情報、および、当該国についての情報を、優先的に選択して受信し、そのように選択的に受信した情報を画像表示装置１２またはスピーカ１４を用いてユーザに提示してもよい。なお、どの番組が当該国の情報を含んでいるか、どの番組が当該国の言語を用いているかの判別には、チューナ部１６が受信した番組の詳細情報を利用してもよい。
【００８３】
［例８］ユーザが、際物好きであると推定した場合（具体的には、際物好きフラグがオンである場合）制御回路１９は、案内ルート算出の際に、主要国道よりも、主要国道の裏道の細街路をより優先して案内ルートに採用するようになっていてもよい。
【００８４】
このように、車両用ナビゲーション装置１が、自らに接続されているデジタルオーディオプレーヤ２に記録されている複数のオーディオコンテンツについて、それらオーディオコンテンツに関する情報を取得し、取得した当該オーディオコンテンツ関連情報に基づいて、車両用ナビゲーション装置１の作動の内容を変化させるようになっている。
【００８５】
このように、デジタルオーディオプレーヤ２に記録されている複数のオーディオコンテンツ（例えば、楽曲、音声配信番組）に関するオーディオコンテンツ関連情報を利用して、車両用ナビゲーション装置１がユーザの特徴に適するよう作動内容を変化させるので、ユーザ自身によるユーザ特徴情報の入力作業や、長期間にわたるユーザ特徴情報の学習を行う必要なく、ユーザの特徴に適した処理を行うことができる。
【００８６】
また、車両用ナビゲーション装置１は、取得したオーディオコンテンツ関連情報に基づいて、ルートナビゲーションの内容を変化させるようになっている。このようになっていることで、簡易にユーザの特徴に適合したルートナビゲーションを行うことができる。
【００８７】
また、車両用ナビゲーション装置１は、取得したオーディオコンテンツ関連情報に基づいて、同じ車両に搭載された他の装置の制御内容を変化させるようになっていてもよい。このようになっていることで、簡易にユーザの特徴に適合した他装置制御を行うことができる。
【００８８】
また、車両用ナビゲーション装置１は、取得したオーディオコンテンツ関連情報に基づいて、車両の乗員に提供する情報の内容を変化させるようになっている。このようになっていることで、簡易にユーザの特徴に適合した情報提供を行うことができる。
【００８９】
また、車両用ナビゲーション装置１は、取得したオーディオコンテンツ関連情報に基づいて、デジタルオーディオプレーヤ２の所有者の特徴を推定し、推定した所有者の特徴に応じて、当該車両用ナビゲーション装置１の作動の内容を変化させるようになっている。
【００９０】
このようにすることで、オーディオコンテンツ関連情報と車両用ナビゲーション装置１の処理内容とを直接関連付けて車両用ナビゲーション装置１を設計する場合に比べ、所有者の特徴と車両用ナビゲーション装置１の処理内容との関係を明確に対応づけた上で車載処理装置を設計することができるので、設計が容易となる。
【００９１】
（他の実施形態）
以上、本発明の実施形態について説明したが、本発明の範囲は、上記実施形態のみに限定されるものではなく、本発明の各発明特定事項の機能を実現し得る種々の形態を包含するものである。
【００９２】
例えば、本実施形態においては、車載処理装置の一例として車両用ナビゲーション装置１が示されているが、本発明は、車両に搭載された処理装置で、デジタルオーディオプレーヤと接続してデジタルオーディオプレーヤに記録されている情報を読み取ることができる装置であれば、どのような車載処理装置にでも適用することができる。
【００９３】
また、上記の実施形態において、制御回路１９がプログラムを実行することで実現している各機能は、それらの機能を有するハードウェア（例えば回路構成をプログラムすることが可能なＦＰＧＡ）を用いて実現するようになっていてもよい。
【図面の簡単な説明】
【００９４】
【図１】本発明の実施形態に係る車両用ナビゲーション装置１の構成図である。
【図２】制御回路１９が実行するプログラム１００のフローチャートである。
【符号の説明】
【００９５】
１        車両用ナビゲーション装置
２        デジタルオーディオプレーヤ
１０      無線通信部
１１      位置検出器
１２      画像表示装置
１３      操作部
１４      スピーカ
１５      交通情報受信機
１６      チューナ部
１７      車内ＬＡＮインターフェース
１８      地図データ取得部
１９      制御回路
【図１】
2010014542.tif 000003
【図２】
2010014542.tif 000004